(57)【要約】【課題】フォーマルさを演出できる、着丈方向の全長に亘る長さの上前立てを備えたシャツの利点を享有しながら、メタボ体型の人が着用しても腹部が開くことがなく、かつ、生地の重複する部分をなくして、腹部のシルエットを綺麗に維持できるシャツを提供すること。【解決手段】前立てを備えたシャツ１において、左右の前身頃を１枚の布地２で構成し、この布地２の身幅方向の中心に、上端から胸部に至るスリット２１を形成し、右前身頃２ａにスリット長Ｌに亘る長さの下前立て３を縫着するとともに、左前身頃２ｂに布地２の着丈方向の全長に亘る長さの上前立て４を縫着する。【選択図】図１
2020204129.tif 000002
【特許請求の範囲】
【請求項１】
前立てを備えたシャツにおいて、左右の前身頃を１枚の布地で構成し、該布地の身幅方向の中心に、上端から胸部に至るスリットを形成し、左右の前身頃の一方にスリット長に亘る長さの下前立てを縫着するとともに、他方に布地の着丈方向の全長に亘る長さの上前立てを縫着してなることを特徴とするシャツ。
【請求項２】
前記左右の前身頃に、一方向の伸びが直交する方向に比較して相対的に高い生地を、伸びる方向を身幅方向に配置したことを特徴とする請求項１に記載のシャツ。
【発明の詳細な説明】
【技術分野】
【０００１】
本発明は、シャツに関し、特に、ワイシャツ、ブラウス等の前立てを備えた布地を縫製して構成するシャツに関するものである。
【背景技術】
【０００２】
従来、シャツには、大別して、（１）布帛を縫製して構成したワイシャツやブラウスに代表されるビジネス、フォーマル、カジュアル等の用途に用いられる、着丈方向の全長に亘る長さの前立てを備えたシャツと、（２）ニット生地を縫製した構成したポロシャツ、ラガーシャツに代表されるカジュアル、スポーツ等の用途に用いられるニットシャツとの２種類がある。
【０００３】
このうち、前者のシャツは、ニットシャツに比べて、フォーマルさを演出できる利点がある反面、伸縮性に乏しいため、メタボ体型の人が着用すると、釦で留められた間の上前立て及び下前立てが引っ張られて歪みが生じ、上前立てと下前立てとの重なり合い部分がなくなり、腹部が開いてしまうことによって隙間から下着や肌が見えるという問題があった。
【０００４】
この問題点に対処するために、腹部に相当する位置における下前立ての幅を、それより上部の位置における下前立ての幅より広く形成した衣服が提案されている（特許文献１参照。）。
【０００５】
ところで、この衣服は、メタボ体型の人が着用しても、腹部が開いてしまうことによって隙間から下着や肌が見えるという問題を解消できる反面、生地の重複する部分によって、腹部のシルエットが損なわれるという問題があった。
【先行技術文献】
【特許文献】
【０００６】
【特許文献１】特開２０１４−１５２４３４号公報
【発明の概要】
【発明が解決しようとする課題】
【０００７】
本発明は、上記従来のシャツの有する問題点に鑑み、フォーマルさを演出できる、着丈方向の全長に亘る長さの前立てを備えたシャツの利点を享有しながら、メタボ体型の人が着用しても腹部が開くことがなく、かつ、生地の重複する部分をなくして、腹部のシルエットを綺麗に維持できるシャツを提供することを目的とする。
【課題を解決するための手段】
【０００８】
上記目的を達成するため、本発明のシャツは、前立てを備えたシャツにおいて、左右の前身頃を１枚の布地で構成し、該布地の身幅方向の中心に、上端から胸部に至るスリットを形成し、左右の前身頃の一方にスリット長に亘る長さの下前立てを縫着するとともに、他方に布地の着丈方向の全長に亘る長さの上前立てを縫着してなることを特徴とする。
【０００９】
この場合において、一方向の伸びが直交する方向に比較して相対的に高い生地を、伸びる方向を身幅方向に配置することができる。
【発明の効果】
【００１０】
本発明のシャツによれば、左右の前身頃を１枚の布地で構成し、該布地の身幅方向の中心に、上端から胸部に至るスリットを形成し、左右の前身頃の一方にスリット長に亘る長さの下前立てを縫着するとともに、他方に布地の着丈方向の全長に亘る長さの上前立てを縫着してなるようにすることにより、フォーマルさを演出できる、着丈方向の全長に亘る長さの前立てを備えたシャツの利点を享有しながら、メタボ体型の人が着用しても腹部が開くことがなく、また、女性のブラウスに適用した場合には下着が見えにくくなり、かつ、生地の重複する部分をなくして、腹部のシルエットを綺麗に維持することができる。
また、このシャツは、ポロシャツのようなプルオーバータイプのシャツであるため、掛けたり外したりする釦の数が少なくなり、シャツの着脱性を向上することができ、さらに、小児用のシャツに適用した場合には、まだ釦を上手く留めることができない子供でも着やすく、動き回っても肌が露出することを防止することができる。
【００１１】
また、前記左右の前身頃に、一方向の伸びが直交する方向に比較して相対的に高い生地を、伸びる方向を身幅方向に配置することにより、形状安定性及び伸縮性を両立させることができ、特に、シャツの着脱性を向上することができる。
【図面の簡単な説明】
【００１２】
【図１】本発明のシャツの一実施例を示す説明図である。
【図２】同シャツの前身頃を構成する布地の説明図である。
【図３】同シャツの下前立て及び上前立ての説明図である。
【発明を実施するための形態】
【００１３】
以下、本発明のシャツの実施の形態を、図面に基づいて説明する。
【００１４】
図１〜図３に、本発明のシャツの一実施例を示す。
このシャツは、前立てを備えたシャツ１において、左右の前身頃を１枚の布地２で構成し、この布地２の身幅方向の中心に、上端から胸部に至るスリット２１を形成し、左右の前身頃の一方（本実施例においては、下前身頃に相当する右前身頃２ａ。）にスリット長Ｌに亘る長さの下前立て３を縫着するとともに、他方（本実施例においては、上前身頃に相当する左前身頃２ｂ。）に布地２の着丈方向の全長に亘る長さの上前立て４を縫着してなるようにしている。
【００１５】
下前立て３は、内側に芯地３２を貼り付けた布地３１を折り畳んでなり、この折り畳んだ布地３１の間に右前身頃２ａの端縁部を挟み込んで、着丈方向に縫製することで縫着するようにする。
【００１６】
上前立て４は、内側に芯地４２を貼り付けた布地４１を折り畳んでなり、スリット長Ｌに亘る長さの間は、この折り畳んだ布地４１の間に左前身頃２ｂの端縁部を挟み込んで、それより下方は、右前身頃２ａと左前身頃２ｂの境界部（布地２の身幅方向の中心）の表面に折り畳んだ布地４１を配置して、着丈方向に縫製することで縫着するようにする。
【００１７】
左右の前身頃を構成する布地２は、汎用の布帛を用いることもできるが、好ましくは、一方向の伸びが直交する方向に比較して相対的に高い生地（ニット生地や特殊な織物）を用い、伸びる方向を身幅方向に配置するようにする。
【００１８】
そして、スリット長Ｌに亘る長さの間は、下前立て３に釦５を取り付けるとともに、上前立て４に釦ホール６を形成するようにし、それより下方は、上前立て４に釦５を取り付ける（さらに、必要に応じて、ダミーの釦ホール７を形成することもできる。）ようにようにする。
【００１９】
このシャツ１によれば、左右の前身頃を１枚の布地２で構成し、この布地２の身幅方向の中心に、上端から胸部に至るスリット２１を形成し、左右の前身頃の一方にスリット長Ｌに亘る長さの下前立て３を縫着するとともに、他方に布地２の着丈方向の全長に亘る長さの上前立て４を縫着してなるようにすることにより、フォーマルさを演出できる、着丈方向の全長に亘る長さの前立てを備えたシャツの利点を享有しながら（上前立て４による作用効果。）、メタボ体型の人が着用しても腹部が開くことがなく、また、女性のブラウスに適用した場合には下着が見えにくくなり、かつ、生地の重複する部分をなくして、腹部のシルエットを綺麗に維持することができる（左右の前身頃を１枚の布地２で構成したことによる作用効果。）。
また、このシャツ１は、ポロシャツのようなプルオーバータイプのシャツであるため、掛けたり外したりする釦の数が少なくなり、シャツの着脱性を向上することができ、さらに、小児用のシャツに適用した場合には、まだ釦を上手く留めることができない子供でも着やすく、動き回っても肌が露出することを防止することができる。
【００２０】
また、前記左右の前身頃に、一方向の伸びが直交する方向に比較して相対的に高い生地を、伸びる方向を身幅方向に配置することにより、形状安定性及び伸縮性を両立させることができ、特に、シャツの着脱性を向上することができる。
【００２１】
以上、本発明のシャツについて、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のシャツは、フォーマルさを演出できる、着丈方向の全長に亘る長さの上前立てを備えたシャツの利点を享有しながら、メタボ体型の人が着用しても腹部が開くことがなく、かつ、生地の重複する部分をなくして、腹部のシルエットを綺麗に維持できるという特性を有していることから、ワイシャツ、ブラウス等の着丈方向の全長に亘る長さの上前立てを備えた布地を縫製して構成する男性用、女性用、小児用のシャツの用途に好適に用いることができる。
【符号の説明】
【００２３】
１  シャツ
２  布地（左右の前身頃）
２１  スリット
２ａ  右前身頃（下前身頃）
２ｂ  左前身頃（上前身頃）
３  下前立て
４  上前立て
５  釦
６  釦ホール
７  釦ホール（ダミー）
Ｌ  スリット長
【図１】
2020204129.tif 000003
【図２】
2020204129.tif 000004
【図３】
2020204129.tif 000005
【手続補正書】
【提出日】令和2年8月7日(2020.8.7)
【手続補正１】
【補正対象書類名】明細書
【補正対象項目名】００１８
【補正方法】変更
【補正の内容】
【００１８】
そして、スリット長Ｌに亘る長さの間は、下前立て３に釦５を取り付けるとともに、上前立て４に釦ホール６を形成するようにし、それより下方は、上前立て４に釦５を取り付ける（さらに、必要に応じて、ダミーの釦ホール７を形成することもできる。）ようにする。
【手続補正２】
【補正対象書類名】特許請求の範囲
【補正対象項目名】全文
【補正方法】変更
【補正の内容】
【特許請求の範囲】
【請求項１】
前立てを備えたシャツにおいて、左右の前身頃を１枚の布地で構成し、該布地の身幅方向の中心に、上端から胸部に至るスリットを形成し、左右の前身頃の一方にスリット長に亘る長さの下前立てを縫着するとともに、他方に布地の着丈方向の全長に亘る長さの上前立てを縫着してなることを特徴とするシャツ。
【請求項２】
前記スリット長に亘る長さの間は、下前立てに釦を取り付けるとともに、上前立てに釦ホールを形成するようにし、それより下方は、上前立てに釦を取り付けるようにようにしてなることを特徴とする請求項１に記載のシャツ。
【請求項３】
前記左右の前身頃に、一方向の伸びが直交する方向に比較して相対的に高い生地を、伸びる方向を身幅方向に配置したことを特徴とする請求項１又は２に記載のシャツ。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
前立てを備えたシャツにおいて、左右の前身頃を１枚の布地で構成し、該布地の身幅方向の中心に、上端から胸部に至るスリットを形成し、左右の前身頃の一方にスリット長に亘る長さの下前立てを縫着するとともに、他方に布地の着丈方向の全長に亘る長さの上前立てを縫着し、前記スリット長に亘る長さの間は、下前立てに釦を取り付けるとともに、上前立てに釦ホールを形成するようにし、それより下方は、上前立てに釦を取り付けるようにようにしてなることを特徴とするシャツ。
【請求項２】
前記左右の前身頃に、一方向の伸びが直交する方向に比較して相対的に高い生地を、伸びる方向を身幅方向に配置したことを特徴とする請求項１に記載のシャツ。